(57)【要約】【課題】隣り合う素電池間にリブを介挿することにより、当該素電池間の電気的な絶縁を図るとともに、衝撃力が素電池間を伝搬するのを抑制することができる電池パックを提供する。【解決手段】素電池１５３の端面(封口板の外面）１５３ａと素電池１５４の端面（外装缶の底面）１５４ｂとが、互いに離間した状態で対向している。素電池１５３の端面１５３ａと素電池１５４の端面１５４ｂとの間に介挿されたリブ１２１は、第１リブ部１２１ａと第２リブ部１２１ｂとを有している。第１リブ部１２１ａおよび第２リブ部１２１ｂは、Ｘ軸方向に互いに間隔をあけて配され、ともにＹ軸方向に衝立状に延伸形成されている。リブ１２１は、Ｘ軸方向に延伸形成された第３リブ部１２１ｆも有する。第３リブ部１２１ｆのＺ軸方向上側には、切欠部１２１ｇが設けられている。【選択図】図６
2014022134.tif 000002
【特許請求の範囲】
【請求項１】
外装体と、当該外装体内に収納された第１素電池および第２素電池とを備える電池パックであって、
前記第１素電池は、互いに対向関係にある第１端面および第２端面と、側周を取り囲む側周面とで外形が構成されており、
前記第２素電池は、互いに対向関係にある第３端面および第４端面と、側周を取り囲む側周面とで外形が構成されており、
前記第１素電池における前記第１端面または前記第２端面の一方の端面と、前記第２素電池における前記第３端面または前記第４端面の一方の端面とが、互いに間隔をあけた状態で対向するように配されており、
前記第１素電池の前記一方の端面と前記第２素電池の前記一方の端面との間には、絶縁性材料からなる隔壁が介挿されており、
前記隔壁は、前記第１素電池の前記一方の端面に直交する方向に互いに離間し、ともに前記第１素電池の前記一方の端面および前記第２素電池の前記一方の端面に沿った方向に衝立状に延伸形成された第１隔壁部および第２隔壁部を有しており、
前記第１隔壁部は、前記第２隔壁部に比べて前記第１素電池の前記一方の端面の側に配され、
前記第２隔壁部は、前記第１隔壁部に比べて前記第２素電池の前記一方の端面の側に配されている
ことを特徴とする電池パック。
【請求項２】
前記隔壁は、前記第１隔壁部および前記第２隔壁部に対して交差する方向に衝立状に延伸形成された第３隔壁部を更に有しており、
前記第１隔壁部および前記第２隔壁部および前記第３隔壁部は、一体形成されて連続している
ことを特徴とする請求項１に記載の電池パック。
【請求項３】
前記第１隔壁部および前記第２隔壁部および前記第３隔壁部を、各延伸方向に対して直交する方向での横断面で見るとき、
前記第３隔壁部の少なくとも一部の断面積は、前記第１隔壁部および前記第２隔壁部の各断面積に比べて小さい
ことを特徴とする請求項２に記載の電池パック。
【請求項４】
前記第３隔壁部を、その主面に対して直交する方向から見るとき、
前記第３隔壁部の一部が切り欠かれた状態である
ことを特徴とする請求項３に記載の電池パック。
【請求項５】
前記第１隔壁部における前記第１素電池の前記一方の端面側の主面からは、当該主面に交差する方向にヒレ状の第４隔壁部が複数突設形成されており、
前記第１素電池の前記一方の端面には、前記第４隔壁部の先端部分が当接あるいは近接している
ことを特徴とする請求項１から請求項４の何れかに記載の電池パック。
【請求項６】
前記第１素電池の前記一方の端面に直交する方向から、前記第１素電池の前記一方の端面と、前記第１隔壁部とを見るとき、前記第１素電池の前記一方の端面の一部は、前記第１隔壁部で覆われておらず、
前記第２素電池の前記一方の端面に直交する方向から、前記第２素電池の前記一方の端面と、前記第２隔壁部とを見るとき、前記第２素電池の前記一方の端面の一部は、前記第２隔壁部で覆われていない
ことを特徴とする請求項１から請求項５の何れかに記載の電池パック。
【請求項７】
前記外装体は、浅皿状をした第１ケース部材と、当該第１ケース部材の開口を封口する第２ケース部材とで構成されており、
前記隔壁は、前記第１ケース部材の底壁内面から立設されている
ことを特徴とする請求項１から請求項６の何れかに記載の電池パック。
【請求項８】
前記隔壁は、前記第１ケース部材と一体形成されている
ことを特徴とする請求項７に記載の電池パック。
【発明の詳細な説明】
【技術分野】
【０００１】
本発明は、電池パックに関し、特に隣り合う素電池間に介挿される隔壁の構造に関する。
【背景技術】
【０００２】
モバイル型テレビ受信機やタブレット型パーソナルコンピュータなどのモバイル機器、さらにはハイブリッド型電気自動車（ＨＥＶ）や電動アシスト自転車などの車両の電源として、複数の素電池を備える電池パックが用いられている（特許文献１）。電池パックにおいては、ケース内部に収納された複数の素電池に対し、隣り合う素電池間にリブが介挿されている（特許文献２，３）。リブは、素電池間の電気的絶縁を図るための隔壁として介挿されている。従来技術に係る電池パックでのリブ構成について、図１１を用い説明する。
【０００３】
図１１（ａ）に示すように、素電池９５３と素電池９５４との間には、直線状のリブ９２１が介挿されている。リブ９２１は、例えば、電池パックの外装を構成するケース部材の底壁内面から立設されており、絶縁性の材料を用いケース部材の一部として一体形成されている。矢印Ｇで指し示す部分の側面図を図１１（ｂ）に示す。
図１１（ｂ）に示すように、素電池９５３の一方の端面（封口板外面）と、素電池９５４の一方の端面（外装缶底面）とは、ともにリブ９２１の表面に密に当接している。このため、Ｘ軸方向においては、素電池９５３と素電池９５４とが、リブ９２１の板厚分だけ離間して配置されていることになる。
【０００４】
このように、従来技術に係る電池パックでは、内部に収納する素電池９５３，９５４間の電気的な絶縁を図るために、リブ９２１が設けられていた。
【先行技術文献】
【特許文献】
【０００５】
【特許文献１】特開２０００−３１１６６７号公報
【特許文献２】特開２００１−３０７６９５号公報
【特許文献３】特開２０１０−７３６９１号公報
【発明の概要】
【発明が解決しようとする課題】
【０００６】
しかしながら、従来技術に係る電池パックでは、落下や振動などの衝撃の影響が、内部の素電池同士の間を伝搬して素電池にダメージを与えるおそれがあった。具体的には、図１１（ｂ）に示すように、落下などにより外部から衝撃が加わった場合に、素電池９５４が矢印Ｈ1のように震動し、その力がリブ９２１の板厚方向に素電池９５３にも伝搬して、素電池９５３も矢印Ｈ2のように震動するおそれがあった。
【０００７】
上記のような衝撃力の伝搬は、素電池とリード板との接続箇所や、リード板と回路基板との接続箇所、さらに回路基板におけるチップ部品などにダメージを与える原因となることが考えられる。
なお、このようなダメージは、素電池の端面から素電池の端面へと伝搬される衝撃力の影響によるところが大きいものと考えられる。
【０００８】
本発明は、上記のような問題の解決を図ろうとなされたものであって、隣り合う素電池間に隔壁を介挿することにより、当該素電池間の電気的な絶縁を図るとともに、衝撃力が素電池間を伝搬するのを抑制することができる電池パックを提供することを目的とする。
【課題を解決するための手段】
【０００９】
本発明は、上記目的を達成するために次の構成を採用することを特徴とする。
本発明に係る電池パックは、外装体と、当該外装体内に収納された第１素電池および第２素電池とを備える。第１素電池は、互いに対向関係にある第１端面および第２端面と、側周を取り囲む側周面とで外形が構成されており、第２素電池は、互いに対向関係にある第３端面および第４端面と、側周を取り囲む側周面とで外形が構成されている。第１素電池と第２素電池とは、第１素電池の第１端面または第２端面の一方の端面（以下、「第１素電池端面」という場合もある。）と、第２素電池の第３端面または第４端面の一方の端面（以下、「第２素電池端面」という場合もある。）とが、互いに間隔をあけた状態で対向するように配されている。第１素電池の上記第１素電池端面と第２素電池の上記第２素電池端面との間には、絶縁性材料からなる隔壁が介挿されている。
【００１０】
隔壁は、第１素電池の上記第１素電池端面に直交する方向に互いに離間し、ともに第１素電池の上記第１素電池端面および第２素電池の上記第２素電池端面に沿った方向に衝立状に延伸形成された第１隔壁部および第２隔壁部を有している。第１隔壁部は、第２隔壁部に比べて第１素電池の上記第１素電池端面の側に配され、第２隔壁部は、第１隔壁部に比べて第２素電池の上記第２素電池端面の側に配されていることを特徴とする。
【発明の効果】
【００１１】
本発明に係る電池パックでは、第１素電池の上記第１素電池端面と第２素電池の上記第２素電池端面との間に介挿される隔壁が、第１隔壁部と第２隔壁部とを有し、第１隔壁部と第２隔壁部とが、第１素電池の上記第１素電池端面に直交する方向に互いに離間して配されている。よって、第１素電池の上記第１素電池端面と第２素電池の上記第１素電池端面との間に空間が設けられた構成となり、外部から衝撃力が加わった場合にあっても、前記空間が衝撃を緩和する領域として機能する。
【００１２】
なお、本発明に係る電池パックでも、第１隔壁部および第２隔壁部を含め、隔壁は絶縁性材料からなるので、第１素電池と第２素電池との間の電気的絶縁を図ることは勿論できる。
以上より、本発明に係る電池パックでは、隣り合う素電池間に隔壁を介挿することにより、当該素電池間の電気的な絶縁を図るとともに、衝撃力が素電池間を伝搬するのを抑制することができる。
【００１３】
本発明に係る電池パックでは、次のようなバリエーション構成を採用することもできる。
本発明に係る電池パックでは、上記構成において、隔壁は、第１隔壁部および第２隔壁部に対して交差する方向に衝立状に延伸形成された第３隔壁部を更に有しており、第１隔壁部および第２隔壁部および第３隔壁部は、一体形成されて連続している、という構成を採用することができる。
【００１４】
このような構成を採用する場合、第１隔壁部および第２隔壁部の少なくとも一方が隣接する素電池から力を受けた場合にあっても、第３隔壁部により機械的強度が保たれ、変形などの不具合を生じ難い。
本発明に係る電池パックでは、上記構成において、第１隔壁部および第２隔壁部および第３隔壁部を、各延伸方向に対して直交する方向での横断面で見るとき、第３隔壁部の少なくとも一部の断面積は、第１隔壁部および第２隔壁部の各断面積に比べて小さいという構成を採用することができる。
【００１５】
このように第３隔壁部の横断面における断面積を、第１隔壁部および第２隔壁部よりも小さくすることで、その機械的強度を相対的に低下させることができ、第１隔壁部および第２隔壁部から第１素電池および第２素電池への抗力を低減することができる。よって、衝撃力の緩和という観点から望ましい。
本発明に係る電池パックでは、上記構成において、第３隔壁部を、その主面に対して直交する方向から見るとき、第３隔壁部の一部が切り欠かれた状態であるという構成を採用することができる。
【００１６】
これにより簡易に第３隔壁部の断面積を、第１隔壁部および第２隔壁部に対して相対的に小さくすることが可能であり、衝撃力の緩和という観点から望ましい。
本発明に係る電池パックでは、上記構成において、第１隔壁部における第１素電池の上記第１素電池端面側の主面からは、当該主面に交差する方向にヒレ状の第４隔壁部が複数突設形成されており、第１素電池の上記第１素電池端面には、第４隔壁部の先端部分が当接あるいは近接しているという構成を採用することができる。
【００１７】
このような構成を採用する場合には、第１素電池などの製造誤差を、当該当接箇所あるいは近接箇所で吸収することができ、製造での歩留まりを向上させることができる。また、第１隔壁部と第１素電池の第１端面との間に隙間を構成することができ、例えば、安全弁から排出されたガスの経路を確保することができ、高い安全性を確保できるという観点から望ましい。
【００１８】
本発明に係る電池パックでは、上記構成において、第１素電池の上記第１素電池端面に直交する方向から、第１素電池の上記第１素電池端面と、第１隔壁部とを見るとき、第１素電池の上記第１素電池端面の一部は、第１隔壁部で覆われておらず、第２素電池の上記第２素電池端面に直交する方向から、第２素電池の上記第２素電池端面と、第２隔壁部とを見るとき、第２素電池の上記第２素電池端面の一部は、第２隔壁部で覆われていないという構成を採用することができる。
【００１９】
このような構成を採用する場合、第１素電池の上記第１素電池端面の上記一部、および第２素電池の上記第２素電池端面の上記一部は、第１隔壁部および第２隔壁部に対向することなく空間に臨むことになる。よって、衝撃力の伝搬の防止という観点からより望ましい。
本発明に係る電池パックでは、上記構成において、外装体は、浅皿状をした第１ケース部材と、当該第１ケース部材の開口を封口する第２ケース部材とで構成されており、隔壁は、第１ケース部材の底壁内面から立設されているという構成を採用することができる。即ち、隔壁としてのリブが第１ケース部材の底壁内面から立設された構成とすることができる。これにより、外装体内部での第１素電池および第２素電池の動きをより確実に規制できる。
【００２０】
本発明に係る電池パックでは、上記構成において、隔壁は、第１ケース部材と一体形成されているという構成を採用することができる。このように、隔壁を第１ケース部材と一体形成することで、部品点数の削減を行うことができ、製造コストの削減を図ることができる。
【図面の簡単な説明】
【００２１】
【図１】本発明の実施の形態に係る電池パック１の外観構成を示す模式斜視図である。
【図２】電池パック１のケース部材１１を取り外した状態を示す模式平面図である。
【図３】ケース部材１２の内部構成を示す模式平面図である。
【図４】（ａ）は、ケース部材１２の底壁１２ａの内面から立設されているリブ１２１の一部構成を示す模式斜視図であり、（ｂ）は、さらにその一部構成を（ａ）における矢印Ｂの方向から示す模式側面図である。
【図５】モバイルＴＶ受信機７００に電池パック１を装着した状態を示す模式斜視図である。
【図６】（ａ）は、素電池１５３，１５４に対するリブ１２１の関係を示す模式平面図であり、（ｂ）は、その模式側面図である。
【図７】（ａ）および（ｂ）は、落下試験における落下方向を示す模式図である。
【図８】（ａ）は、変形例１に係るリブ２２１の構成を示す模式平面図であり、（ｂ）は、変形例２に係るリブ３２１の構成を示す模式平面図である。
【図９】（ａ）は、変形例３に係るリブ４２１の構成を示す模式平面図であり、（ｂ）は、変形例４に係るリブ５２１の構成を示す模式平面図である。
【図１０】変形例５に係るリブ６２１の構成を示す模式側面図である。
【図１１】（ａ）は、従来技術に係る電池パックでの隣り合う素電池９５３，９５４とリブ９２１との関係を示す模式平面図であり、（ｂ）は、その模式側面図である。
【発明を実施するための形態】
【００２２】
以下では、本発明を実施するための形態について、図面を用い説明する。なお、以下で示す具体例は、本発明の構成およびその構成から奏される作用・効果を分かりやすく説明するために用いる一例であって、本発明は、発明の本質とする構成部分以外について、以下の具体例に何ら限定を受けるものではない。
［実施の形態］
１．電池パック１の外観構成
本実施の形態に係る電池パック１の外観構成について、図１を用い説明する。
【００２３】
図１に示すように、本実施の形態に係る電池パック１は、扁平角形の外観形状を有する外装ケース１０と、その側壁の一部からＹ軸方向に延出された接続リード１３、および接続リード１３の先端部分に接続されたコネクタ１４とで外観が構成されている。
外装ケース１０は、ともに浅皿状をしたケース部材１１，１２が、互いの開口同士が向き合うように配され、互いが接合されることで構成されている。外装ケース１０は、Ｘ軸方向およびＹ軸方向の長さに比べて、Ｚ軸方向の高さが低く構成されている。
【００２４】
２．電池パック１の内部構成
電池パック１の内部構成について、図２を用い説明する。図２は、図１に示す状態から、ケース部材１１を外した状態を示す模式平面図である。
図２に示すように、ケース部材１２の内部には、８つの素電池１５１〜１５８を構成中に含むコアパック１５が収納されている。なお、コアパック１５では、図示を省略する回路基板や接続用リードなども構成中に含まれている。
【００２５】
８つの素電池１５１〜１５８は、それぞれ扁平角形の外観形状を有する。そして、ケース部材１２内では、素電池１５１，１５３，１５５，１５７がＹ軸方向に向けて並列配置されており、互いの側面同士が当接あるいは近接している。同様に、ケース部材１２内において、素電池１５２，１５４，１５６，１５８も、Ｙ軸方向に向けて並列配置されており、互いの側面同士が当接あるいは近接している。
【００２６】
ここで、素電池１５１〜１５８は、それぞれＸ軸方向の下側の部分が封口板となり、Ｘ軸方向の上側の部分が外装缶の底となるように、配置されている。即ち、素電池１５１〜１５８は、Ｘ軸方向下向きに第１端面である封口板の外面が向き、Ｘ軸方向上向きに第２端面である外装缶の底面が向くように配されている。
図２に示すように、素電池１５１と素電池１５２とは、その封口板外面と外装缶底面との間に間隙を有するように配されており、素電池１５３と素電池１５４、素電池１５５と素電池１５６、および素電池１５７と素電池１５８も同様の関係を以って配されている。
【００２７】
図２に示すように、素電池１５１，１５３，１５５，１５７と素電池１５２，１５４，１５６，１５８との間には、隔壁としてのリブ１２１が介挿されている。
３．ケース部材１２の構成
ケース部材１２の構成について、図３および図４を用い説明する。
図３に示すように、ケース部材１２は、略長方形の底壁１２ａとその外辺から紙面手前に向けて起立する周壁１２ｂにより浅皿状の形状を構成している。
【００２８】
また、底壁１２ａの内面には、Ｘ軸方向の中央領域において、Ｙ軸方向に延伸する衝立状のリブ１２１が立設されている。リブ１２１は、Ｙ軸方向に直線状に設けられているのではなく、複数のコの字形状部分を組み合わせたジグザグ状の平面形状を以って設けられている。
図４（ａ）は、図３の矢印Ａで指し示す部分を抜き出して示すものであり、図４（ｂ）は、その一部を（ａ）の矢印Ｂの方向から示す模式側面図である。
【００２９】
図４（ａ）に示すように、リブ１２１には、ともにＹ軸方向に延伸する第１リブ部１２１ａ，１２１ｃおよび第２リブ部１２１ｂと、Ｘ軸方向に延伸する第３リブ部１２１ｄとが一体に形成されてなる。なお、第１リブ部１２１ａ，１２１ｃ、第２リブ部１２１ｂ、および第３リブ部１２１ｄは、ともにケース部材１２の底壁１２ａの内面からＺ軸方向上向きに立設されており、ケース部材１２の一部として一体形成されている。
【００３０】
リブ１２１を含むケース部材１２は、絶縁性材料（例えば、ポリカーボネート樹脂やＡＢＳ樹脂、ポリスチレン樹脂など）を用い形成されている。そして、リブ１２１は、素電池１５１，１５３，１５５，１５７と素電池１５２，１５４，１５６，１５８の間の電気的な絶縁を図るための隔壁として設けられている。
第１リブ部１２１ａ，１２１ｃと第２リブ部１２１ｂとは、Ｘ軸方向にずれた状態で配されている。
【００３１】
第３リブ部１２１ｄは、Ｘ軸方向の一端で第１リブ部１２１ａ，１２１ｃに接合され、他端で第２リブ部１２１ｂに接続されている。そして、図４（ｂ）に示すように、第２リブ部１２１ｄのＺ軸方向上側の部分は切り欠かれている（切欠部１２１ｅ）。
４．使用形態の一例と奏する効果
本実施の形態に係る電池パック１の使用形態の一例について図５を用い説明するとともに、上記構成の電池パック１が奏する効果について図６を用い説明する。
【００３２】
先ず、図５に示すように、本実施の形態に係る電池パック１は、モバイルＴＶ受信機７００の電源として使用され、その内部に装着される。モバイルＴＶ受信機７００は、スタンド７０１によりＸ軸方向に対してやや傾斜したＸ軸方向に沿って立てられて使用される。
この状態では、電池パック１は、内蔵する素電池１５１〜１５８（図２を参照）はその端面がＸ軸方向に沿って配された状態となる。このため、ユーザーがモバイルＴＶ受信機７００を移動させる場合になどに、電池パック１の内蔵の素電池１５１〜１５８に対してＸ軸方向に衝撃力が加わることが考えられる。
【００３３】
即ち、図６（ａ）に示すように、モバイルＴＶ受信機７００の移動などに伴って、素電池１５３，１５４には、矢印Ｃ1，Ｃ2の力が加わることが考えられる。このとき、本実施の形態に係る電池パック１では、リブ１２１における第１リブ部１２１ａと第２リブ部１２１ｂとがＸ軸方向に離間した状態で配されており、収納された素電池１５３のＸ軸方向下側の端面（封口板の外面）１５３ａと素電池１５４のＸ軸方向上側の端面（外装缶の底壁外面）１５４ｂとの間に空間があいた状態となっている。よって、この空間が衝撃力の伝搬に対して緩衝領域となり、電池パック１内の素電池１５１〜１５８の故障や、コアパック１５に含まれる回路基板やリード（図示を省略）の各接続外れなどを生じ難い。
【００３４】
また、図６（ａ）の矢印Ｄで指し示す部分には、第３リブ部１２１ｆ（上記の第３リブ部１２１ｄと同一構成）が、第１リブ部１２１ａおよび第２リブ部１２１ｂと一体形成されている。図６（ｂ）に示すように、第３リブ部１２１ｆにもＺ軸方向上側の部分が切り欠かれており（切欠部１２１ｇ）、これにより、その機械的強度が第１リブ部１２１ａや第２リブ部１２１ｂよりも低くなっている。よって、素電池１５３，１５４の相互間での衝撃力の伝搬は、第３リブ部１２１ｆの切欠部１２１ｇによる第１リブ部１２１ａおよび第２リブ部１２１ｂの若干の撓みによっても緩和されることになる。
【００３５】
さらに、図６（ｂ）に示すように、第１リブ部１２１ａの素電池１５３側の主面からは、ヒレ状の第４リブ部１２１ｈが複数突設されており、素電池１５３の端面１５３ａは、当該第４リブ部１２１ｈの先端辺に当接している。このため、素電池１５３の端面１５３ａの大部分は、空間に面し、衝撃力の緩和に寄与する。図６（ａ）に示すように、素電池１５４の端面１５４については、その全面が第２リブ部１２１ｂの主面に当接しているのではなく、一部は空間に面している。これによっても衝撃力の緩和に寄与する。
【００３６】
なお、本実施の形態では、リブ１２１をケース部材１２に対して一体に形成することとしている。このため、部品点数の削減を図り、製造コストの削減を図ることができる。ただし、リブ１２１については、必ずしもケース部材１２と一体とする必要はなく、別部品とすることもできる。ケース部材１２を製造するために用いる成型型のコストなどとの兼ね合いで、一体に形成するか、別部品とするかを決めることもできる。
【００３７】
５．効果確認試験
上記効果を確認するために、実施例サンプルと比較例サンプルを準備し、各々について落下試験を行った。
（１）実施例サンプル
実施例サンプルは、上記実施の形態に係る構成を採用した電池パックである。
【００３８】
（２）比較例サンプル
比較例サンプルは、素電池間に介挿されるリブの形状を図１１に示すようなストレート形状とした。それ以外の構成については、実施例サンプルと同じとした。
（３）試験方法
実施例サンプルおよび比較例サンプルを各３つ準備し、落下試験を行った。落下試験は、図７（ａ）および（ｂ）に示すように、１〜１０の方向を各々下方に向けて順に落下させ、これを１サイクルとした。
【００３９】
なお、落下面は、堅木であり、落下高さは１００ｃｍである。
落下試験の評価については、各サイクル終了ごとに外観検査とＯＣＶ（開回路電圧）およびＩＲ（内部抵抗）の測定とを行い、異常のない場合は５サイクルまで試験を続けた。電池性能に関しては、ＯＣＶ差が±０．１Ｖ以内、ＩＲ差が±５％以内を異常なしとした。また、外観検査に関しては、ケースに破損（割れ）のない状態を異常なしとした。結果を次に示す。
【００４０】
【表１】
2014022134.tif 000003
【００４１】
【表２】
2014022134.tif 000004
【００４２】
表１に示すように、実施例１〜３では、５サイクルを終えた後においても、ＯＣＶ、ＩＲ、外観確認での異常は観測されなかった。
一方、表２に示すように、比較例１のサンプルでは、３サイクル目の途中でリブ折れが発生し、同様に、比較例３のサンプルにおいても、３サイクル目の途中でリブ折れが発生した。また、比較例２のサンプルでは、スポット外れを原因とするＩＲ異常が発生した。
【００４３】
以上の結果より、本実施の形態のようなリブ構造を採用することにより、素電池間での衝撃力の伝達が抑制され、耐落下性能において効果を奏すると判断することができる。
［変形例１］
変形例１に係る電池パックの構成について、図８（ａ）を用い説明する。図８（ａ）では、上記実施の形態に係る電池パック１との相違点であるリブ２２１の一部構成のみを図示している。その他の構成については、上記実施の形態と同様であるので、図示およびその説明を省略する。
【００４４】
図８（ａ）の矢印Ｅで指し示すように、本変形例に係るリブ２２１では、第１リブ部２２１ａと第２リブ部２２１ｂとを結ぶように形成された第３リブ部２２１ｆが、Ｘ軸に沿った形態ではなく、Ｘ軸に対して傾斜した斜め方向に延伸している。これにより、素電池１５３の端面に対する第１リブ部２２１ａの対向領域、および素電池１５４の端面に対する第２リブ部２２１ｂの対向領域を広くとることができ、素電池の保持という観点から優れる。そして、本変形例においても、素電池１５３と素電池１５４との間に空間をあけることで、衝撃力の緩和を図ることができ、素電池間での衝撃力の伝搬を抑制することができる。
【００４５】
なお、本変形例においても、第３リブ部２２１ｆには切欠部２２１ｇが設けられている。
［変形例２］
変形例２に係る電池パックの構成について、図８（ｂ）を用い説明する。図８（ｂ）でも、上記実施の形態に係る電池パック１との相違点であるリブ３２１の一部構成のみを図示している。その他の構成については、上記実施の形態と同様であるので、図示およびその説明を省略する。
【００４６】
図８（ｂ）の矢印Ｆで指し示すように、本変形例に係るリブ３２１では、第１リブ部３２１ａと第２リブ部３２１ｂとを結ぶように、２条の第３リブ部３２１ｆ，３２１ｉが設けられている。そして、各第３リブ部３２１ｆ，３２１ｉにも、上記同様に、切欠部３２１ｇ，３２１ｊが設けられている。
本変形例に係るリブ３２１の構成では、第１リブ部３２１ａと第２リブ部３２１ｂとを２条の第３リブ部３２１ｆ，３２１ｉで結ぶことにより、第１リブ部３２１ａおよび第２リブ部３２１ｂの薄肉化などを図る場合にあっても、それらの機械的剛性をある程度保つことができる。そして、本変形例においても、素電池１５３と素電池１５４との間に空間をあけることで、衝撃力の緩和を図ることができ、素電池間での衝撃力の伝搬を抑制することができる。
【００４７】
［変形例３］
変形例３に係る電池パックの構成について、図９（ａ）を用い説明する。図９（ａ）でも、上記実施の形態に係る電池パック１との相違点であるリブ４２１の一部構成のみを図示している。その他の構成については、上記実施の形態と同様であるので、図示およびその説明を省略する。
【００４８】
上記実施の形態および変形例１，２では、第３リブ部１２１ｄ，１２１ｆ，２２１ｆ，３２１ｆが平面視において直線状に延伸形成されている構成としたが、図９（ａ）に示すように、本変形例では、第３リブ部４２１ｆがＳ字状にカーブした形態としている。そして、第３リブ部４２１ｆは、素電池１５３側の第１リブ部４２１ａと素電池１５４側の第２リブ部４２１ｂとを接続する。よって、本変形例でも、上記同様に、素電池１５３と素電池１５４との間に空間をあけることで、衝撃力の緩和を図ることができ、素電池間での衝撃力の伝搬を抑制することができる。
【００４９】
なお、本変形例に係るリブ４２１においても、第３リブ部４２１ｆの上部が切り欠かれている（白抜き部分）。
［変形例４］
変形例４に係る電池パックの構成について、図９（ｂ）を用い説明する。図９（ｂ）でも、上記実施の形態に係る電池パック１との相違点であるリブ５２１の一部構成のみを図示している。その他の構成については、上記実施の形態と同様であるので、図示およびその説明を省略する。
【００５０】
図９（ｂ）に示すように、本変形例に係るリブ５２１は、平面形状は上記実施の形態のリブ１２１と略同じである。ただし、本変形例に係るリブ５２１では、第３リブ部５２１ｆの上部に切り欠きはなく、第１リブ部５２１ａおよび第２リブ部５２１ｂの肉厚ｔ1に対し、第３リブ部５２１ｆの肉厚ｔ2が薄くなっているところに特徴を有する。
このような特徴を有する本変形例のリブ５２１では、第１リブ部５２１ａおよび第２リブ部５２１ｂに対して、第３リブ部５２１ｆの機械的強度を低く抑え、より衝撃力の緩和をなすことが可能となる。
【００５１】
よって、本変形例でも、上記同様に、素電池と素電池との間に空間をあけることで、衝撃力の緩和を図ることができ、素電池間での衝撃力の伝搬を抑制することができる。
［変形例５］
変形例５に係る電池パックの構成について、図１０を用い説明する。図１０でも、上記実施の形態に係る電池パック１との相違点であるリブ６２１の一部構成を中心に図示している。その他の構成については、上記実施の形態と同様であるので、図示およびその説明を省略する。
【００５２】
図１０に示すように、本変形例においても、リブ６２１がケース部材６２の底壁内面からＺ軸方向上向きに立設されている。リブ６２１は、上記実施の形態などと同様に、素電池１５３の端面に沿う第１リブ部６２１ａと、素電池１５４の端面に沿う第２リブ部６２１ｂと、その間を繋ぐようにＸ軸方向に延伸する第３リブ部６２１ｆと、第１リブ部６２１ａの素電池１５３側主面から突出するヒレ状の第４リブ部６２１ｈとが、ケース部材６２と一体形成されている。
【００５３】
本変形例に係るリブ６２１では、第３リブ部６２１ｆのＺ軸方向下部分に開口部６２１ｇが設けられている。このように、本変形例に係るリブ６２１では、Ｚ軸方向上部の切り欠きではなく、Ｚ軸方向下部の開口部６２１ｇを設けることにより、第１リブ部６２１ａおよび第２リブ部６２１ｂに対して第３リブ部６２１ｆの横断面の断面積を小さくし、これにより機械的強度を低下させて、より一層の衝撃力の緩和を図る。
【００５４】
よって、本変形例でも、上記同様に、素電池と素電池との間に空間をあけることで、衝撃力の緩和を図ることができ、素電池間での衝撃力の伝搬を抑制することができる。
［その他の事項］
上記実施の形態および変形例１〜５では、素電池の種類については特に言及しなかったが、種々の種類の素電池を採用することができる。例えば、リチウムイオン二次電池などの非水電解質二次電池や、ニッケルカドミウム二次電池およびニッケル水素二次電池などのアルカリ二次電池などを採用することができる。
【００５５】
また、素電池の外観形状については、扁平角形に限定されるものではなく、対向関係にある２端面と、周面とで外観が構成されていればよく、例えば、円筒形の電池を採用することもできる。
また、上記実施の形態では、外装ケース１０を、ともに浅皿状をしたケース部材１１とケース部材１２とで構成することとしたが、外装ケースの構成については、これに限定されるものではない。例えば、浅皿状あるいは平板状のケース部材を一つ用い、当該ケース部材にコアパックを載置した状態で、周囲を外装ラベルで囲むという構成を採用することもできるし、一方のケース部材を浅皿状とし、他方のケース部材を平板状とすることもできる。
【００５６】
また、素電池間に介挿される隔壁をケース部材１２の底壁内面から立設されるリブ１２１ではなく、外装ケースとは別体とする場合には、外装ケースは、コアパックの側方を囲繞する枠体とし、コアパックの露出部分を外装ラベルで被覆するという構成を採用することもできる。
また、上記実施の形態および変形例１〜５では、リブの構成材料をケース部材と同じ樹脂材料としたが、隔壁の構成材料は、電気的な絶縁性を有する材料であればよい。例えば、セラミックスや表面が絶縁処理された金属板などを用いることも可能である。
【００５７】
また、上記実施の形態では、外装ケース１０の内部に８つの素電池１５１〜１５８が収納された構成としたが、素電池の収納数については、２つ以上あれば限定は受けない。
また、上述の隔壁の構成については、端面同士が対向する部分の全てに適用する必要は必ずしもなく、経験的あるいは実験的に衝撃力が加わり易い箇所や、衝撃力の伝達を抑制する上で重要と考えられる箇所に限定して上記構成を適用することもできる。そして、残りの箇所については、素電池の端面同士がリブをその板厚分だけ挟んだ状態（図１１（ａ）、（ｂ）のような状態）となるようにすることもできる（図１１（ａ）、（ｂ）のような状態）。これにより、高いスペース効率を実現しながら、高い耐衝撃性能も得ることができる。
【００５８】
また、上記実施の形態では、電池パック１の使用用途の一例として、モバイルＴＶ受信機７００をあげたが、これ以外にも、例えば、携帯電話機やタブレット型パーソナルコンピュータなどのモバイル機器、さらには、電気自動車（ＰＥＶ）やハイブリッド型電気自動車（ＨＥＶ）や電動バイクや電動アシスト自転車などの車両などの用途にも使用が可能である。
【００５９】
さらに、上記実施の形態および変形例１〜５では、第１リブ部１２１ａ，１２１ｃ，２２１ａ，３２１ａ，４２１ａ，５２１ａ，６２１ａと第２リブ部１２１ｂ，２２１ｂ，３２１ｂ，４２１ｂ，５２１ｂ，６２１ｂとを、第３リブ部１２１ｄ，１２１ｆ，２２１ｆ，３２１ｆ，３２１ｉ，４２１ｆ，５２１ｆ，６２１ｆで繋いだリブ１２１，２２１，３２１，４２１，５２１，６２１の構成を採用したが、第３リブ部を省略したような形態を採用することもできる。具体的には、第１リブ部と第２リブ部とが、それらの延伸方向とは直交する方向に離間し、その間を繋ぐ第３リブ部がないような構成とすることもできる。このような構成を採用した場合にも、一の素電池の端面と他の素電池の端面との間に空間を設けることができ、衝撃力の伝搬を抑制することができる。
【００６０】
また、上記実施の形態などでは、素電池１５３の端面１５３ａに対しては、ヒレ状の第４リブ部１２１ｈの先端辺が当接することとしたが、第４リブ部については必須の構成ではない。即ち、第１リブ部の主面が直接素電池の端面に当接する構成としてもよい。なお、隔壁と素電池の端面については、外部からの震動に対して問題とならないレベルで、隙間が存在する近接状態とすることもできる。例えば、使用用途によっては、素電池の端面とリブとの間に０．３ｍｍ〜０．５ｍｍ程度を上限とする隙間があいても許容される場合もあり得る。
【００６１】
また、図２に示すように、Ｙ軸方向に隣り合う素電池同士の間には、必ずしも隔壁を介挿させる必要がない場合もあるが、スペース的に許容される場合にあっては、それらの間にも隔壁を介挿させることとしてもよい。その場合にも、上記のリブ構成を採用することができる。
また、図６に示すように、上記実施の形態では、素電池１５３と素電池１５４とが、素電池１５３における封口板の外面１５３ａと、素電池１５４における外装缶の底壁外面１５４ｂとが対向するように配置され、その間にリブ１２１を介挿する構成としたが、本発明はこれに限定されない。例えば、素電池１５３の封口板外面と素電池１５４の封口板外面とが対向する配置形態の場合には、封口板外面同士の間に上記構成の隔壁を介挿させることでも同じ効果を得ることができる。また、素電池１５３における外装缶の底壁外面と素電池１５４における封口板外面同士が対向する配置形態や、素電池１５３における外装缶の底壁外面と素電池１５４における外装缶の底壁外面とが対向する配置形態を採用する場合にあっても、各端面同士の間に上記構成の隔壁を介挿させることで同じ効果を得ることができる。
【産業上の利用可能性】
【００６２】
本発明は、高い耐衝撃性能を有することで、モバイル機器や車両の電源として用いることができる電池パックを実現するのに有用である。
【符号の説明】
【００６３】
１．電池パック
１０．外装ケース
１１，１２．ケース部材
１３．接続リード
１４．コネクタ
１５．コアパック
１２１，２２１，３２１，４２１，５２１，６２１．リブ
１２１ａ，１２１ｃ，２２１ａ，３２１ａ，４２１ａ，５２１ａ，６２１ａ．第１リブ部
１２１ｂ，２２１ｂ，３２１ｂ，４２１ｂ，５２１ｂ，６２１ｂ．第２リブ部
１２１ｄ，１２１ｆ，２２１ｆ，３２１ｆ，３２１ｉ，４２１ｆ，５２１ｆ，６２１ｆ．第３リブ部
１２１ｅ，１２１ｇ，２２１ｇ，３２１ｇ，３２１ｊ．切欠部
１２１ｈ，６２１ｈ．第４リブ部
１５１〜１５８．素電池
６２１ｇ．開口部
７００．モバイルＴＶ受信機
７０１．スタンド
【図１】
2014022134.tif 000005
【図２】
2014022134.tif 000006
【図３】
2014022134.tif 000007
【図４】
2014022134.tif 000008
【図５】
2014022134.tif 000009
【図６】
2014022134.tif 000010
【図７】
2014022134.tif 000011
【図８】
2014022134.tif 000012
【図９】
2014022134.tif 000013
【図１０】
2014022134.tif 000014
【図１１】
2014022134.tif 000015